(57)【特許請求の範囲】
【請求項１】
平面状の発光パネルを備えた照明装置において、
前記発光パネルの発光面側に設けられて光出射する透光性を有するカバーと、前記発光パネルの非発光面側に設けられて前記カバーを保持するケースと、を備え、
前記カバーは、前記発光パネルの外周面を覆う側壁を有し、
前記ケースは、前記カバーの側壁の外周を覆う側壁を有し、
前記カバーの側壁は前記ケースの側壁に嵌合保持され、該カバーの側面は前記ケースによって覆い隠され、
前記カバーの側壁は、その外周面に複数の嵌合爪を有し、
前記ケースの側壁は、その内周面に前記複数の嵌合爪が嵌合される複数の嵌合溝を有し、
前記嵌合爪は、前記カバーの側壁の先端よりも光出射側に寄って設けられていることを特徴とする照明装置。
【請求項２】
前記カバーの側壁の内周面が、前記発光パネルの外周面に適合するように形成されていることを特徴とする請求項１に記載の照明装置。
【請求項３】
前記カバーは、前記発光パネルからの光を出射する光出射面を有し、
前記光出射面とこの光出射面に連なる前記ケースの側壁とが面一になっていることを特徴とする請求項１又は請求項２に記載の照明装置。
【請求項４】
前記ケースの側壁が弾性変形することによって、前記嵌合爪が前記ケースの側壁の内周面を乗り越えて前記嵌合溝に嵌合されることを特徴とする請求項１乃至請求項３のいずれか一項に記載の照明装置。
【発明の詳細な説明】
【技術分野】
【０００１】
本発明は、光源にＥＬ素子を用いた照明装置に関する。
【背景技術】
【０００２】
有機ＥＬ素子は、低電圧で高輝度の発光が可能であり、有機化合物の種類によって様々な発光色が得られ、また、平面状の発光パネルとしての製造が容易である。そのため、近年、有機ＥＬ素子を用いた発光パネルを備えた発光装置が注目されている。
【０００３】
ところが、発光パネルの有機発光層の面積を大きくするには大がかりな製造施設等が必要となり、コスト高となる。また、面積が大きい有機発光層は輝度分布を均一にすることが容易でない。そのため、この種の発光装置は、例えば１０ｃｍ角程度のサイズのものが複数並設された状態で照明装置に組み込まれて、大きな発光面積を実現している（例えば、特許文献１参照）。
【０００４】
このような発光装置は、発光パネルの有機発光層を外傷や湿気等から保護するために、透光部を有するカバー及び所定のケースによってパッケージングされる。この種の照明装置を図９に示す。照明装置１０１は、光出射する透光性を有するカバー１０２と、このカバー１０２に発光面が向くように配置された発光装置１０３と、この発光装置１０３の外周及び非発光面を覆うように設けられるケース１０４と、を備える。
【先行技術文献】
【特許文献】
【０００５】
【特許文献１】特開２００７−２００６２７号公報
【発明の概要】
【発明が解決しようとする課題】
【０００６】
上記のような照明装置１０１においては、カバー１０２の側面が外部に露出しているので、発光装置１０３からの光がカバー１０２内を導光されて、一部の光がカバー１０２の側面から漏れる。つまり、照明装置１０１の側方方向にも光の一部が出射されるので、その分、カバー１０２の正面方向へ出射される光が少なくなり、光利用効率が悪くなる。また、複数の発光装置が並設されたときに、各発光装置の側方方向に光が漏れるていると、見栄えが悪くなる。上記特許文献１には、複数の発光装置がケース等に収容されない状態で並設されている構成が開示されているが、照明装置として実用化されるにはケース等が必要とされる。しかし、ケース等が上記図９に示すような構成であれば、やはり照明装置の側方方向へ光が漏れてしまう。
【０００７】
本発明は、上記課題を解決するためになされたものであり、側方方向への光漏れを抑制することができる照明装置を提供することを目的とする。
【課題を解決するための手段】
【０００８】
本発明の照明装置は、平面状の発光パネルを備えた照明装置において、前記発光パネルの発光面側に設けられて光出射する透光性を有するカバーと、前記発光パネルの非発光面側に設けられて前記カバーを保持するケースと、を備え、前記カバーは、前記発光パネルの外周面を覆う側壁を有し、前記ケースは、前記カバーの側壁の外周を覆う側壁を有し、前記カバーの側壁は前記ケースの側壁に嵌合保持され、該カバーの側面は前記ケースによって覆い隠され、前記カバーの側壁は、その外周面に複数の嵌合爪を有し、前記ケースの側壁は、その内周面に前記複数の嵌合爪が嵌合される複数の嵌合溝を有し、前記嵌合爪は、前記カバーの側壁の先端よりも光出射側に寄って設けられていることを特徴とする。
【００１０】
この照明装置において、前記カバーの側壁の内周面が、前記発光パネルの外周面に適合するように形成されていることが好ましい。
【００１１】
この照明装置において、前記カバーは、前記発光パネルからの光を出射する光出射面を有し、前記光出射面とこの光出射面に連なる前記ケースの側壁とが面一になっていることが好ましい。
【００１２】
この照明装置において、前記ケースの側壁が弾性変形することによって、前記嵌合爪が前記ケースの側壁の内周面を乗り越えて前記嵌合溝に嵌合されることが好ましい。
【発明の効果】
【００１３】
本発明に係る照明装置によれば、カバーの側壁がケースの側壁に嵌合保持されるので、カバーの側面がケースによって覆い隠され、光源部の側方方向への光漏れを防止することができる。
【図面の簡単な説明】
【００１４】
【図１】本発明の一実施形態に係る照明装置の分解斜視図。
【図２】同照明装置が備える光源部の一部分解斜視図。
【図３】同照明装置の断面斜視図。
【図４】同照明装置の光源部が備えるカバー及びケースの分解斜視図。
【図５】同カバーが同ケースに嵌合されたときの模式的側断面図。
【図６】同カバーを同ケースに嵌合する手順を説明するための一部分解側面図。
【図７】上記光源部の断面斜視図。
【図８】上記照明装置において装着部に光源部を装着するステップを説明するための側面図。
【図９】従来の照明装置の側断面図。
【発明を実施するための形態】
【００１５】
本発明の一実施形態に係る照明装置について、図１乃至図７を参照して説明する。図１乃至図３に示すように、本実施形態の照明装置１は、有機ＥＬ素子を用いた平面状の発光パネル２を有する光源部３と、この光源部３に着脱自在に構成された装着部４と、を備える。光源部３は、発光パネル２の発光面側（図１の下方向）に設けられて光出射する透光性を有するカバー５と、発光パネル２の非発光面側（図１の上方向）に設けられてカバー５を保持するケース６と、を備える。これらカバー５及びケース６が光源部３のパッケージ７を構成する。このパッケージ７に、発光パネル２と、発光パネル２の非発光面側に載置される配線基板８とが収納されている。装着部４は、発光パネル２を点灯制御するための回路基板９と、この回路基板９を収容するハウジング４０と、を備えている。
【００１６】
発光パネル２は、透光性を有する矩形の基板上に、透明導電膜から成る正電極、発光機能を有する発光層、光反射性を有する負電極を、順に積層した発光部（不図示）が形成され、発光部の外側が封止材で被覆されたものである。これら基板、正電極、発光層、負電極、封止材には、有機ＥＬ素子として汎用される材料が適宜に用いられる。また、封止材上には、銅板等から構成される均熱板が設けられる。
【００１７】
配線基板８は、ガラス繊維布にエポキシ樹脂等を含侵させて硬化させたガラス繊維板、例えば、ＦＲ−４等の、難燃性及び低導電率を両立した基材を用い、中央が開口するように枠型に形成された部材である（図２参照）。この配線基板８には、ケース６と対向する面に、配線基板８と装着部４の回路基板９とを電気的に接続する端子部８０が設けられている。端子部８０は、配線基板８に接合される固定部及びこの固定部から接続部を介して立設された平刃型の接触部から構成される。この接触部が、ケース６に形成された溝部６０を通して、装着部４側に露出している。本例においては、一対の端子部８０が、配線基板８の一方の端部に設けられている。なお、便宜上、図２においては、一方の端子部８０のみを図示し、他方の端部の図示を省略している。また、配線基板８上には、端子部８０と電気的に接続された正電極線及び負電極線（不図示）が形成され、これら電極線が絶縁材料によって被覆されると共に、発光パネル２と対向する面とは反対側の面において、それらの一部が露出してランド部８１が形成される。これらランド部８１は、発光パネル２の正電極及び負電極に夫々電気的に接続された給電電極２０（図１参照）と夫々導電性ワイヤ２１によって結線される。発光パネル２と配線基板８とは、耐熱性、耐湿性及び応力緩和性に優れる芯材入りのアクリル系両面接着テープ等によって接着固定されている。
【００１８】
ケース６は、その表面側の周部が装着部４と対向する方向に凸状に形成され、その裏面側において配線基板８を収容する凹状の配線基板収容部６１を構成する。配線基板収容部６１は、中央に凹部６２が配され、その周囲が凸状となった枠型に形成されている。また、ケース６は、その非発光面側の一端部に一対の係合部６３を有する。係合部６３は、装着部４の光源部３が装着される装着面４Ａに設けられている被係合部４１（図３参照）に係合する。係合部６３は先端が外側に向いたフック形状に形成され、被係合部４１は係合部６３に対応した形状に形成されている。係合部６３が被係合部４１に係合された状態で、光源部３は装着部４に対して回動自在とされる。この回動は、装着部４に対して光源部３が、その一端側を軸に他方側を回動するものである。
【００１９】
また、ケース６は、その非発光面側のうち係合部６３が設けられている一端部とは異なる部分に、具体的には、上記一端部とは他方側に、保持部６４（再び図１参照）を有する。保持部６４は、装着部４の装着面４Ａに設けられている被保持部４２に保持される。保持部６４は係合部６３と同様に先端が外側に向いたフック形状に形成され、被保持部４２は保持部６４に対応した形状に形成されている。これら保持部６４及び被保持部４２は、光源部３を装着部４へ装着した状態で保持する。
【００２０】
装着部４は、上述した回路基板９及びハウジング４０に加え、端子部８０と回路基板９とを電気的に接続する一対の端子受部４３と、を備える。ハウジング４０は、光源部３側に凸状に形成されて、回路基板９を収容する凹状の回路基板収容部４４を構成する。また、ハウジング４０には、端子部８０を挿通させる貫通溝４５が設けられている。なお、回路基板９上には、回路基板９を保護するための保護部材９０が載置される。
【００２１】
回路基板９には、配線基板８と同様の基材が用いられ、矩形状に形成された基材の光源部３側の面に、発光パネル２を点灯駆動するための駆動ドライバ等の各種素子（不図示）が実装される。また、回路基板９には、上記端子受部４３との接合部及び外部給電用端子９１が設けられ、これら接合部、外部給電用端子９１及び駆動ドライバ等が回路基板９に設けられた配線パターンによって電気的に接続される。端子受部４３は、所定形状に屈曲した一対の略Ｌ字形状の金属片であり、一方の端部が回路基板９に固定され、他方の端部が光源部３側へ立設されて接触部を成し、この接触部がクリップ状に形成されて、貫通溝４５を挿通した端子部８０を挟持する。これにより、端子受部４３と端子部８０との電気的接続を確実なものとすることができる。
【００２２】
回路基板収容部４４は、ケース６の凹部６２に嵌り合うように、装着部４の中央に位置するように形成されている。回路基板収容部４４内には、ネジ止部４６が設けられている。また、回路基板収容部４４の周縁には、保持枠４７が設けられている。この保持枠４７は、ネジ止部４６と共に、回路基板９上に実装された各種素子が、回路基板収容部４４の底面に接触しないように、回路基板９を中浮き状態で保持する。回路基板９には、回路基板収容部４４のネジ止部４６と対応する位置に、ネジ孔９２が形成されている。このネジ孔９２及びネジ止部４６にネジが挿通されることにより、回路基板９がハウジング４０に固定される。
【００２３】
なお、装着部４は、ハウジング４０の光源部３と対向する面に、上述した被係合部４１及び被保持部４２が設けられている。これら被係合部４１及び被保持部４２は、係合部６３及び保持部６４と対応する位置に設けられている。また、被係合部４１は、ハウジング４０に摺動可能に取付けされると共に、バネ等の付勢機構によって、装着部４の中央方向に付勢されている。
【００２４】
次に、パッケージ７を成すカバー５及びケース６について、図４、図５及び図６を参照して詳細に説明する。なお、図５においては、配線基板８等の光源部３の一部構成の図示を省略している。また、同図において、説明の便宜上、カバー５とケース６との間の隙間を大きく図示している。
【００２５】
カバー５は、ケース６側の面が開口した箱状に形成され、発光パネル２からの光を出射する光出射面５ａと、この光出射面５ａの外周縁から立設されて発光パネル２の外周面２ａを覆う側壁５ｂと、を有する。光出射面５ａは、照明装置１からの光が照射される空間に臨む面である。側壁５ｂは、その内周面５ｄが、発光パネル２の外周面２ａに適合するように形成されている。こうすれば、カバー５に発光パネル２を嵌め込むだけで、発光パネル２及び配線基板８の位置決めを容易に行なうことができる。
【００２６】
カバー５の側壁５ｂは、その外周面にカバー５をケース６に係合させるための複数の嵌合爪５ｃを有する。これら嵌合爪５ｃは、光出射面５ａの外周方向に突出するように形成され、側壁５ｂの外周面に所定間隔で設けられている。カバー５の構成材料としては、例えば、透明なＡＢＳ樹脂やアクリル樹脂、ポリスチレン樹脂等のプラスチック材料等が用いられる。
【００２７】
ケース６は、カバー５側の面が開口した箱形状に形成されている。また、ケース６は、凹形状の主面６ａと、この主面６ａの外周縁から立設されてカバー５の側壁５ｂの外周を覆う側壁６ｂと、を有する。主面６ａは、上述の配線基板収容部６１及び凹部６２を構成する面である。また、側壁６ｂは、その内周面に複数の嵌合爪５ｃが嵌合される複数の嵌合溝６ｃを有する。これら嵌合溝６ｃは、側壁６ｂにおいて嵌合爪５ｃに対応する位置に設けられている。
【００２８】
また、嵌合爪５ｃは、側壁５ｂの先端５ｅよりも光出射側に寄って設けられ、嵌合溝６ｃも嵌合爪５ｃと対応する位置に設けられる。こうすれば、パッケージ７を組み立てる際に、ケース６の側壁６ｂが撓み易くなり、嵌合爪５ｃと嵌合溝６ｃとをスムーズに嵌合させられるので、パッケージ７を組み立て易くすることができる。また、図５において、側壁５ｂの下端５ｆから嵌合爪５ｃの下端までの長さＡが短い、つまり嵌合溝６ｃが光出射側に寄っているほど側壁６ｂを撓ませ易くなるが、嵌合溝６ｃの保持強度が低下する。従って、長さＡは、カバー５を構成する材料の強度を考慮して適宜設定されるが、通常１ｍｍ程度あれば、カバー５の強度を十分に保つことができる。また、側壁５ｂの先端５ｅから嵌合爪５ｃの上端までの長さＢは、カバー５をケース６に仮挿入したときに（図６参照）、端子部８０がケース６の溝部６０に挿入される位置で仮保持されるように、且つケース６の深さに対応するように設定される。
【００２９】
ケース６の構成材料としては、上記カバー５の構成材料と同様のものの他、表面に絶縁処理が施されたアルミニウム等の金属材料等の透明性がない材料が用いられてもよく、側壁６ｂが僅かに撓むように所定の弾性を有する材料が好適に用いられる。なお、ケース６の主面６ａと側壁６ｂとを接続する角部は、図例のように、一部面取りされていることが好ましい。こうすれば、光源部３の外観をスリム化することができる。また、パッケージ７を構成するカバー５及びケース６の形状は、照明装置１の用途に応じた任意の形状が用いられ、発光パネル２の形状に対応した形状に形成されるが、本例では、図示したような長尺矩形状のものとする。
【００３０】
次に、カバー５をケース６に嵌合するための手順について、上述した図６に加えて、図７を参照して説明する。図６に示すように、予め発光パネル２及び配線基板８が載置されたカバー５の上にケース６が配置される。このとき、ケース６の側壁６ｂの先端が、カバー５の嵌合爪５ｃに乗り掛かった状態とする。そして、ケース６をカバー５側に押し込むと、ケース６の側壁６ｂの内周面がカバー５の嵌合爪５ｃに接触し、側壁６ｂが主面６ａの外周方向に押圧される。そして、更にケース６をカバー５側に押し込むと、ケース６の側壁６ｂが弾性変形して、嵌合爪５ｃがケース６の側壁６ｂの内周面を乗り越えて嵌合溝６ｃに嵌合保持されると共に、カバー５の側面はケース６によって覆い隠される。こうすれば、嵌合爪５ｃが嵌合溝６ｃにスムーズに嵌合され、容易にパッケージ７を組み立てることができる。また、ケース６の側壁６ｂが弾性変形し、カバー５の側壁５ｂは変形しないので、カバー５の側壁５ｂの内周面５ｄと発光パネル２との間に隙間を設ける必要がなく、発光パネル２の周枠部分を小さくすることができ、複数の照明装置１が並設されたときに、全体としての発光面の面積を大きくすることができる。
【００３１】
また、図７に示すように、ケース６とカバー５とを嵌合させた状態で、カバー５の光出射面５ａとこの光出射面５ａに連なるケース６の側壁６ｂとが面一になるように設定されていることが好ましい。こうすれば、光源部３の光出射面５ａ側に凹凸ができないので、意匠としての見栄えを良くすることができる。
【００３２】
また、カバー５の側壁５ｂの内周面が、発光パネル２の外周面と適合しているので、発光パネル２がカバー５に嵌め込まれた状態でこれらが位置決めされる。そのため、カバー５とケース６とを嵌合させるだけで、端子部８０は溝部６０を貫通してケース６から突出する。従って、光源部３の組み立てにおいて、端子部８０がケース６に接触して折れ曲がる等の損傷を受け難くなり、組み立て作業を効率化することができる。
【００３３】
組み立てられた光源部３は、予め壁面等に設置された装着部４に取り付けられる。ここで、ユーザが、光源部３を装着部４に装着するステップ１乃至３の手順を、図８を参照して説明する。ステップ１で、ユーザは、光源部３の係合部６３を、装着部４の被係合部４１に嵌めてこれらを係合させる。ステップ２で、ユーザは、光源部３を矢印Ａ１方向に押し込む。これに応じて、被係合部４１は、矢印Ａ２方向に摺動する。ステップ３で、ユーザは、光源部３の保持部６４側の端部を装着部４側へ持ち上げると共に、矢印Ａ２方向への押す力を弱めれば、被係合部４１の付勢力により、保持部６４が被保持部４２に保持される。以上の手順で、光源部３が装着部４に取り付けられる。この構成において、保持部６４で被保持部４２を保持すると同時に、端子部８０が、端子受部４３に差し込まれることによって、配線基板８と回路基板９（図１参照）とが電気的に接続される。このようにして、光源部３が装着部４に装着されると共に、電気的な接続がなされることにより、照明装置１としての機能が実現される。
【００３４】
この照明装置１によれば、上述したように、カバー５の側面がケース６によって覆い隠されるので、発光パネル２を点灯させたとき、発光パネル２からの光がカバー５の側面から出射し難くなり、光源部３の側方方向への光漏れを抑制することができる。
【００３５】
光源部３を装着部４から取り外す際には、ユーザが光源部３を、図８の矢印Ａ２方向にスライドさせれば、保持部６４と被保持部４２との保持が解除されるので、光源部３を矢印Ａ２とは反対方向に引き出せば、係合部６３と被係合部４１との係合が解除される。複数の照明装置１が格子状に配置されている場合には、互いの隙間に棒状の部材を差し込むことによって、被係合部４１を摺動させる。こうすれば、上記と同様に、光源部３が僅かにスライドして、保持部６４が被保持部４２から外れて保持されなくなり、光源部３を装着部４から取り外すことができる。
【００３６】
本発明は上記実施形態の構成に限られず、発明の趣旨を変更しない範囲で種々の変更が可能である。例えば、ケース６の深さを発光パネル２及びカバー５の厚みよりも僅かに大きく設定しておき、ケース６と発光パネル２との間に、それらの間隔を埋めるための間隔調整部材等が設けられてもよい。
【符号の説明】
【００３７】
１    照明装置
２    発光パネル
２ａ    外周面
５    カバー
５ａ    光出射面
５ｂ    側壁
５ｃ    嵌合爪
５ｄ    内周面
５ｅ    先端
６    ケース
６ｂ    側壁
６ｃ    嵌合溝
【図１】
0005909668.tif 000002
【図２】
0005909668.tif 000003
【図３】
0005909668.tif 000004
【図４】
0005909668.tif 000005
【図５】
0005909668.tif 000006
【図６】
0005909668.tif 000007
【図７】
0005909668.tif 000008
【図８】
0005909668.tif 000009
【図９】
0005909668.tif 000010